(57)【要約】      （修正有）【課題】キャリッジの移動に伴って振動が発生するのを抑制することができ、キャリッジを安定させて移動させることができ、画像品位を向上させることができるインクジェットプリンタを提供する。【解決手段】主レール１５と、副レール１６と、キャリッジ１７と、記録ヘッドとを有する。キャリッジ１７は、記録ヘッドを収容する第１の部分１７Ａ、及び該第１の部分の上端からインクジェットプリンタの背面側に向けて延在させられる第２の部分１７Ｂから成る。第１の部分の背面に、主レール１５にキャリッジ１７を組み付けるための第１の組付構造部５１が、前記第２の部分の下面に、副レール１６にキャリッジ１７を組み付けるための第２の組付構造部５２が配設される。第１、第２の組付構造部において、キャリッジ１７を支持する支持部が、付勢部材５５，５８によって主レール１５及び副レール１６に向けて付勢される。【選択図】図１
2018144402.tif 000002
【特許請求の範囲】
【請求項１】
（ａ）インクジェットプリンタの走査方向に延在させて配設された主レールと、
（ｂ）該主レールよりインクジェットプリンタの背面側に、主レールと平行に延在させて配設された副レールと、
（ｃ）前記主レール及び副レールに沿って移動自在に配設されたキャリッジと、
（ｄ）該キャリッジに搭載された記録ヘッドとを有するとともに、
（ｅ）前記キャリッジは、前記記録ヘッドを収容する第１の部分、及び該第１の部分の上端からインクジェットプリンタの背面側に向けて延在させられる第２の部分から成り、
（ｆ）前記第１の部分の背面に、主レールにキャリッジを組み付けるための第１の組付構造部が、前記第２の部分の下面に、副レールにキャリッジを組み付けるための第２の組付構造部が配設され、
（ｇ）第１、第２の組付構造部において、キャリッジを支持する支持部が、付勢部材によって主レール及び副レールに向けて付勢されることを特徴とするインクジェットプリンタ。
【請求項２】
（ａ）前記主レールは垂直型のレールであり、
（ｂ）前記副レールは水平型のレールである請求項１に記載のインクジェットプリンタ。
【請求項３】
前記第１の組付構造部において、支持部によって主レールの上端部及び下端部が挟持される請求項１又は２に記載のインクジェットプリンタ。
【請求項４】
前記第１の組付構造部において、所定の支持部が付勢部材によって主レールに向けて付勢される請求項３に記載のインクジェットプリンタ。
【請求項５】
前記第２の組付構造部において、支持部が付勢部材によって副レールに向けて付勢される請求項１又は２に記載のインクジェットプリンタ。
【請求項６】
前記第２の部分は、インクジェットプリンタの背面側の端部にファンを備える請求項１〜５のいずれか１項に記載のインクジェットプリンタ。
【請求項７】
前記第２の組付構造部において、支持部は、前記第２の部分の前後方向における中央部に配設される請求項１に記載のインクジェットプリンタ。
【発明の詳細な説明】
【技術分野】
【０００１】
本発明は、インクジェットプリンタに関するものである。
【背景技術】
【０００２】
従来、プリンタ、複写機、ファクシミリ、複合機等の画像形成装置、例えば、インクジェットプリンタにおいては、キャリッジがレールに沿って移動させられ、キャリッジに搭載された記録ヘッドからインク滴が吐出され、記録媒体に付着させられることによって文字、イメージ等の画像が形成され、印刷が行われるようになっている。
【０００３】
前記インクジェットプリンタにおいては、レールの精度を高くしたり、キャリッジとレールとの結合部分の剛性を高くしたりすることによって、キャリッジをレールに沿って精度良く移動させ、記録媒体へのインク滴の付着精度を高くし、画像品位を向上させるようにしている。
【０００４】
また、キャリッジの移動に伴って振動が発生するのを抑制するために、キャリッジに錘が付加される（例えば、特許文献１参照。）。
【先行技術文献】
【特許文献】
【０００５】
【特許文献１】特開２０１３−１４０６３号公報
【発明の概要】
【発明が解決しようとする課題】
【０００６】
しかしながら、近年のインクジェットプリンタにおいては、記録媒体に形成される画像を高画質化したり、画像の形成を高速化したりするために、キャリッジに搭載される記録ヘッドの数が多くされたり、記録ヘッドを高性能化するために、回路基板等が大型化されたりしているので、キャリッジの重量が重くなりつつある。
【０００７】
したがって、キャリッジに錘を付加すると、キャリッジの重量が一層重くなってしまう。
【０００８】
その結果、キャリッジを移動させるためのモータを大型化したり、キャリッジ、レール等の強度を高くしたりする必要があり、インクジェットプリンタが大型化するだけでなく、重量化してしまう。
【０００９】
本発明は、前記従来のインクジェットプリンタの問題点を解決して、キャリッジの移動に伴って振動が発生するのを抑制することができ、キャリッジを安定させて移動させることができ、画像品位を向上させることができるインクジェットプリンタを提供することを目的とする。
【課題を解決するための手段】
【００１０】
そのために、本発明のインクジェットプリンタにおいては、インクジェットプリンタの走査方向に延在させて配設された主レールと、該主レールよりインクジェットプリンタの背面側に、主レールと平行に延在させて配設された副レールと、前記主レール及び副レールに沿って移動自在に配設されたキャリッジと、該キャリッジに搭載された記録ヘッドとを有する。
【００１１】
そして、前記キャリッジは、前記記録ヘッドを収容する第１の部分、及び該第１の部分の上端からインクジェットプリンタの背面側に向けて延在させられる第２の部分から成る。
【００１２】
また、前記第１の部分の背面に、主レールにキャリッジを組み付けるための第１の組付構造部が、前記第２の部分の下面に、副レールにキャリッジを組み付けるための第２の組付構造部が配設される。
【００１３】
そして、第１、第２の組付構造部において、キャリッジを支持する支持部が、付勢部材によって主レール及び副レールに向けて付勢される。
【発明の効果】
【００１４】
本発明によれば、インクジェットプリンタにおいては、インクジェットプリンタの走査方向に延在させて配設された主レールと、該主レールよりインクジェットプリンタの背面側に、主レールと平行に延在させて配設された副レールと、前記主レール及び副レールに沿って移動自在に配設されたキャリッジと、該キャリッジに搭載された記録ヘッドとを有する。
【００１５】
そして、前記キャリッジは、前記記録ヘッドを収容する第１の部分、及び該第１の部分の上端からインクジェットプリンタの背面側に向けて延在させられる第２の部分から成る。
【００１６】
また、前記第１の部分の背面に、主レールにキャリッジを組み付けるための第１の組付構造部が、前記第２の部分の下面に、副レールにキャリッジを組み付けるための第２の組付構造部が配設される。
【００１７】
そして、第１、第２の組付構造部において、キャリッジを支持する支持部が、付勢部材によって主レール及び副レールに向けて付勢される。
【００１８】
この場合、前記キャリッジは、前記記録ヘッドを収容する第１の部分、及び該第１の部分の上端からインクジェットプリンタの背面側に向けて延在させられる第２の部分から成り、前記第１の部分の背面に、主レールにキャリッジを組み付けるための第１の組付構造部が、前記第２の部分の下面に、副レールにキャリッジを組み付けるための第２の組付構造部が配設され、第１、第２の組付構造部において、キャリッジを支持する支持部が、付勢部材によって主レール及び副レールに向けて付勢される。
【００１９】
したがって、キャリッジを主レール及び副レールに沿って安定させて移動させることができるので、記録媒体へのインク滴の付着精度を高くすることができ、画像品位を向上させることができる。
【００２０】
また、キャリッジの姿勢が一定に保持され、キャリッジの前端が上方に移動するのが抑制されるので、キャリッジの移動に伴ってキャリッジに振動が発生するのを抑制することができる。
【図面の簡単な説明】
【００２１】
【図１】本発明の実施の形態におけるキャリッジの支持構造を示す概念図である。
【図２】本発明の実施の形態におけるインクジェットプリンタの斜視図である。
【図３】本発明の実施の形態におけるインクジェットプリンタの断面図である。
【発明を実施するための形態】
【００２２】
以下、本発明の実施の形態について図面を参照しながら詳細に説明する。この場合、画像形成装置としてのインクジェットプリンタについて説明する。
【００２３】
図２は本発明の実施の形態におけるインクジェットプリンタの斜視図、図３は本発明の実施の形態におけるインクジェットプリンタの断面図である。
【００２４】
図２において、１０はインクジェットプリンタ、Ｆｒはフレームであり、該フレームＦｒは、インクジェットプリンタ１０を前側（図２において手前側）から見たときの左端から右端にかけて延在させて配設された受け板ＰＢ、該受け板ＰＢの左端から立ち上げて形成された第１の主支持部としてのサイドプレートＰＬ１、受け板ＰＢの右端から立ち上げて形成された第２の主支持部としてのサイドプレートＰＲ１、前記サイドプレートＰＬ１より所定の距離だけ右方において受け板ＰＢから立ち上げて形成された第１の副支持部としての枠体ＰＬ２、及び前記サイドプレートＰＲ１より所定の距離だけ左方において受け板ＰＢから立ち上げて形成された第２の副支持部としての枠体ＰＲ２を備える。
【００２５】
また、図３において、Ｃｓは、フレームＦｒを包囲する外装体のうちの、枠体ＰＬ２、ＰＲ２間を包囲する部分を構成する第１の筐体である。サイドプレートＰＬ１と枠体ＰＬ２との間、及びサイドプレートＰＲ１と枠体ＰＲ２との間は、前記第１の筐体Ｃｓとは別体に形成された図示されない第２の筐体によって包囲される。そして、第１の筐体Ｃｓは、枠体ＰＬ２、ＰＲ２間の上面を覆う頂壁Ｗｔ、該頂壁Ｗｔの前端部から斜め下方に向けて延在させられる前壁Ｗｆ、及び頂壁Ｗｔの後端部から垂下させて延在させられる背壁Ｗｒを備え、前記前壁Ｗｆに、操作者が第１の筐体Ｃｓ内にアクセスするための扉２８が開閉自在に配設される。
【００２６】
前記サイドプレートＰＬ１、ＰＲ１間において、インクジェットプリンタ１０の前側に、第１のレールとしての垂直型の主レール１５がインクジェットプリンタ１０の走査方向に延在させて配設され、主レール１５より奥側、すなわち、インクジェットプリンタ１０の背面側に、第２のレールとしての水平型の副レール１６が主レール１５と平行に延在させて配設（架設）される。そして、前記主レール１５及び副レール１６に沿ってキャリッジ１７が左右方向に移動自在に配設される。
【００２７】
該キャリッジ１７は、主レール１５によって支持され、主レール１５の前方を移動させられる第１の部分としての主ケース１７Ａ、及び該主ケース１７Ａの上端から後方に向けて延在させて形成され、副レール１６によって支持され、副レール１６の上方を移動させられる第２の部分としての副ケース１７Ｂから成り、主ケース１７Ａ内に一つ又は複数の記録ヘッドＨｄが収容される。該記録ヘッドＨｄは図示されないノズルを備えたノズル面を下方に向けて搭載され、副ケース１７Ｂの上面に、記録ヘッドＨｄを駆動するための回路基板Ｂｄが搭載される。
【００２８】
前記サイドプレートＰＲ１に駆動側のプーリ１８が、サイドプレートＰＬ１に従動側のプーリ１９が回転自在に配設され、プーリ１８、１９間に無端ベルト２１が走行自在に張設され、該無端ベルト２１の所定の箇所に前記キャリッジ１７が取り付けられる。そして、前記プーリ１８にキャリッジ移動用の駆動部としてのキャリッジモータ２２が連結される。
【００２９】
したがって、該キャリッジモータ２２を駆動し、無端ベルト２１を走行させることによって、キャリッジ１７が左右方向に移動させられ、キャリッジ１７の移動に伴って各記録ヘッドＨｄが左右方向に移動させられ、記録ヘッドＨｄからインク滴が吐出され、キャリッジ１７の移動方向に対して直交する方向に搬送される記録媒体Ｐに付着させられることによって文字、イメージ等の画像が形成され、印刷が行われる。
【００３０】
なお、記録媒体としては、用紙のほかに、塩化ビニル、ＰＥＴ等の樹脂製のフィルム等を使用することができる。
【００３１】
前記主レール１５及び副レール１６に沿ってリニアスケール２３が配設され、該リニアスケール２３の目盛りをキャリッジ１７に配設された図示されないエンコーダによって読み取ることにより、キャリッジ１７の位置を検出することができる。また、キャリッジ１７の位置の変化及び時間に基づいてキャリッジ１７の速度を算出することができる。
【００３２】
そして、前記受け板ＰＢ上における枠体ＰＬ２、ＰＲ２間に、プレート状の形状を有し、記録媒体Ｐを支持するプラテン２５が配設され、該プラテン２５の下方に、プラテン２５上を搬送される記録媒体Ｐを負圧によってプラテン２５に引き寄せるための図示されない空気吸引機構が配設される。
【００３３】
前記プラテン２５の後側には、媒体後方案内部としてのリヤペーパガイド２６が配設される。該リヤペーパガイド２６は、図示されない繰出しロールから繰り出され、搬送される記録媒体Ｐを前記プラテン２５に案内する。そのために、記録媒体Ｐの搬送方向における前記リヤペーパガイド２６とプラテン２５との間に、搬送部材としての搬送ローラ対３０が回転自在に配設される。
【００３４】
該搬送ローラ対３０は、プラテン２５に沿って延在させて回転自在に配設された第１のローラとしての搬送ローラ３１、及び該搬送ローラ３１より上方において回転自在に配設され、記録媒体Ｐを搬送ローラ３１に押し付ける第２のローラとしてのピンチローラ３２から成る。搬送用の駆動部としての図示されない搬送モータを駆動し、搬送ローラ３１を回転させると、ピンチローラ３２が連れ回りで回転させられ、これにより、記録媒体Ｐは、搬送ローラ３１とピンチローラ３２とによって挟まれた状態で繰出しロールから繰り出され、搬送され、プラテン２５上に送られる。そして、プラテン２５によって平坦に支持された記録媒体Ｐと記録ヘッドＨｄのノズル面とが対向させられ、記録ヘッドＨｄからインク滴が吐出される。
【００３５】
この場合、前記搬送モータを駆動して記録媒体Ｐを所定の距離搬送した後、搬送モータを停止させ、その状態でキャリッジ１７を移動させ、記録ヘッドＨｄからインク滴を吐出することによって、１走査が行われ、１ライン分の画像が形成される。１走査が終了すると、前記搬送モータを再び駆動して記録媒体Ｐを所定の距離搬送した後、搬送モータを停止させ、その状態でキャリッジ１７を移動させ、記録ヘッドＨｄからインク滴を吐出することによって、１走査が行われ、１ライン分の画像が形成される。この動作を繰り返すことによって、記録媒体Ｐに画像が形成される。
【００３６】
なお、本実施の形態においては、シングルパス方式によって印刷が行われるようになっているが、マルチパス方式によって印刷を行う場合は、前記記録媒体Ｐを搬送する距離が記録ヘッドＨｄの図示されないノズル列より短くされ、複数の走査を行うことによって１ライン分の画像が形成される。
【００３７】
前記フレームＦｒの前側には、印刷が行われた後の記録媒体Ｐを案内するための媒体前方案内部としてのフロントペーパガイド３３が配設される。該フロントペーパガイド３３は、前記プラテン２５から水平方向に排出された記録媒体Ｐを下方に向けて案内するために、湾曲した形状を有する。
【００３８】
本実施の形態においては、リアペーパガイド２６、プラテン２５及びフロントペーパガイド３３のそれぞれに、加熱体としての図示されないヒータが埋設され、該各ヒータを通電することによって、リアペーパガイド２６、プラテン２５及びフロントペーパガイド３３の順に搬送される記録媒体Ｐを適切な温度に加熱し、付着したインク滴の乾燥を促進させるようにしている。また、本実施の形態においては、フロントペーパガイド３３の前方に、第１の筐体Ｃｓの前壁Ｗｆの前端部から垂下させて、フロントペーパガイド３３の全体を覆うように、フロントペーパガイド３３と所定の間隔を置いてカバー２７が配設され、該カバー２７によってフロントペーパガイド３３の熱が放散されるのが防止される。
【００３９】
そして、記録媒体Ｐを加熱することによって第１の筐体Ｃｓ内の温度が上昇するのを防止するとともに、気化したインクの蒸気が第１の筐体Ｃｓ内に停滞するのを防止するために、背壁Ｗｒの走査方向における複数箇所に吸引用のファンＦｎ１が、前壁Ｗｆの下端とカバー２７との間の走査方向における複数箇所に排出用のファンＦｎ２が配設され、前記ファンＦｎ１によって空気が第１の筐体Ｃｓ内に取り込まれ、ファンＦｎ２によって、温度が上昇した空気が第１の筐体Ｃｓ外に排出される。なお、第１の筐体Ｃｓ内で発生したインクの蒸気は、温度が上昇した空気と共にファンＦｎ２によって第１の筐体Ｃｓ外に排出される。
【００４０】
さらに、記録媒体Ｐが加熱されるのに伴ってキャリッジ１７内の温度が上昇するのを防止するために、キャリッジ１７の副ケース１７Ｂの後端に、前記背壁Ｗｒと対向させて吸引用のファンＦｎ３が配設され、前記ファンＦｎ１によって第１の筐体Ｃｓ内に取り込まれた空気がファンＦｎ３によってキャリッジ１７内に取り込まれる。
【００４１】
ところで、本実施の形態においては、前記主レール１５及び副レール１６がサイドプレートＰＬ１、ＰＲ１間に配設され、プラテン２５が枠体ＰＬ２、ＰＲ２間に配設されるので、キャリッジ１７がプラテン２５上を移動させられる間は各記録ヘッドＨｄによる印刷が行われ、キャリッジ１７が、サイドプレートＰＬ１と枠体ＰＬ２との間に置かれるとき、及びサイドプレートＰＲ１と枠体ＰＲ２との間に置かれるときは、各記録ヘッドＨｄによる印刷が行われない。
【００４２】
そこで、本実施の形態においては、サイドプレートＰＬ１と枠体ＰＬ２との間が、キャリッジ１７の位置の原点合わせを行うためのホームポジションにされ、サイドプレートＰＲ１と枠体ＰＲ２との間が、キャリッジ１７をプラテン２５上から退避させるとともに、折り返すための退避ポジションにされる。
【００４３】
そして、ホームポジションには、各記録ヘッドＨｄと対向させてキャップユニット４３が配設される。該キャップユニット４３は、インクジェットプリンタ１０を長時間使用しない場合に、記録ヘッドＨｄのノズル面を覆い、ノズル内のインクの粘度が高くなってノズルが詰まったり、ノズルにごみ等が付着したりするのを防止する。
【００４４】
また、前記退避ポジションには、各記録ヘッドＨｄと対向させて、ノズルを良好な状態に保持するための、ノズル面を払拭する図示されないワイプユニット、及びインクジェットプリンタ１０を操作するための操作・表示部としての図示されない操作パネルが配設される。該操作パネルは、操作ボタン等が配設された操作部、及び表示ランプ等が配設された表示部を備える。
【００４５】
次に、前記キャリッジ１７の支持構造について説明する。
【００４６】
図１は本発明の実施の形態におけるキャリッジの支持構造を示す概念図である。
【００４７】
図において、１５は主レール、１６は副レール、１７はキャリッジ、１７Ａは主ケース、１７Ｂは副ケースである。
【００４８】
この場合、主レール１５は、垂直型のレールであり、断面が台形の形状を有し、台形の下底に相当する面を第１の支持面Ｓａとして、台形の上底と下底とを結ぶ斜辺に相当する上方の面を第２の支持面Ｓｂとして、台形の上底と下底とを結ぶ斜辺に相当する下方の面を第３の支持面Ｓｃとして有する。そして、第１の支持面Ｓａは鉛直方向に延在させられ、第２、第３の支持面Ｓｂ、Ｓｃは水平方向に対して同じ角度で傾斜させて延在させられる。
【００４９】
また、副レール１６は、水平型のレールであり、断面が矩形の形状を有し、矩形の長辺に相当する面を第４の支持面Ｓｄとして有する。該第４の支持面Ｓｄは水平方向に延在させられる。
【００５０】
そして、前記キャリッジ１７において、主ケース１７Ａの背面に、主レール１５にキャリッジ１７を組み付けるための第１の組付構造部としての一対の垂直組付部５１が、副ケース１７Ｂの下面に、副レール１６にキャリッジ１７を組み付けるための第２の組付構造部としての一対の水平組付部５２が配設される。各垂直組付部５１及び水平組付部５２は、キャリッジ１７の移動方向における複数箇所、本実施の形態においては、２箇所に配設される。
【００５１】
前記各垂直組付部５１は、主レール１５の上方から主ケース１７Ａの背面に沿って下方に延びる基部５３、該基部５３の下端部において、軸ｓｈ１を中心として基部５３に対して揺動自在に配設された腕部５４、前記基部５３及び腕部５４によって主レール１５を挟持するように基部５３及び腕部５４を付勢する第１の付勢部材としてのスプリング５５、基部５３に対して回転自在に配設され、主ケース１７Ａを支持する第１〜第３の支持部としてのベアリングｂｒ１〜ｂｒ３、並びに腕部５４に対して回転自在に配設され、主ケース１７Ａを支持する第４の支持部としてのベアリングｂｒ４を備える。なお、該ベアリングｂｒ４は、前記スプリング５５の付勢力によって主レール１５に向けて付勢される。
【００５２】
また、前記水平組付部５２は、副ケース１７Ｂの下面に沿って取り付けられた保持部５７、前記副ケース１７Ｂの前後方向における中央部において、前記保持部５７に対して回転自在に配設され、副ケース１７Ｂを支持する第５の支持部としてのベアリングｂｒ５、及び該ベアリングｂｒ５と保持部５７との間に配設され、ベアリングｂｒ５を副レール１６に向けて付勢する第２の付勢部材としてのスプリング５８を備える。
【００５３】
ベアリングｂｒ１は主レール１５の第１の支持面Ｓａの上方部分と対向させて配設され、ベアリングｂｒ２は主レール１５の第１の支持面Ｓａの下方部分と対向させて配設され、ベアリングｂｒ３は主レール１５の第２の支持面Ｓｂと対向させて配設され、ベアリングｂｒ４は主レール１５の第３の支持面Ｓｃと対向させて配設され、ベアリングｂｒ５は副レール１６の第４の支持面Ｓｄと対向させて配設される。そして、キャリッジ１７が主レール１５及び副レール１６に沿って移動するのに伴って、ベアリングｂｒ１〜ｂｒ４は主レール１５上を、ベアリングｂｒ５は副レール１６上を回転しながら相対的に移動させられる。
【００５４】
また、ベアリングｂｒ１〜ｂｒ４がスプリング５５の付勢力によって主レール１５に当接させられるので、ベアリングｂｒ１、ｂｒ３によって主レール１５の上端部が挟持され、ベアリングｂｒ２、ｂｒ４によって主レール１５の下端部が挟持される。したがって、キャリッジ１７が、垂直組付部５１によって主レール１５の上端部及び下端部において主レール１５から離れないように支持されるので、キャリッジ１７を、主レール１５によって安定して支持し、主レール１５に沿って安定して移動させることができる。
【００５５】
しかも、前記第１の支持面Ｓａが鉛直方向に延在させられ、第２、第３の支持面Ｓｂ、Ｓｃが水平方向に対して同じ角度で傾斜させて延在させられるので、ベアリングｂｒ１、ｂｒ２が第１の支持面Ｓａを押す力をＦ１とし、ベアリングｂｒ３が第２の支持面Ｓｂを押す力をＦ２とし、ベアリングｂｒ４が第３の支持面Ｓｃを押す力をＦ３としたとき、力Ｆ１と、力Ｆ２、Ｆ３の水平方向成分Ｆ２ａ、Ｆ３ａを加算した値とが等しくなり、力Ｆ２の垂直方向成分Ｆ２ｂと力Ｆ３の垂直方向成分Ｆ３ｂとが等しくなる。
【００５６】
したがって、キャリッジ１７を、主レール１５に対して偏荷重を加えることなく、安定して移動させることができる。
【００５７】
また、ベアリングｂｒ５がスプリング５８の付勢力によって副レール１６に当接させられるので、キャリッジ１７は、副レール１６の上方において副レール１６から離れるように支持されるが、主レール１５から離れないように支持されるので、キャリッジ１７を、副レール１６によって安定して支持し、副レール１６に沿って安定して移動させることができる。
【００５８】
このように、本実施の形態においては、キャリッジ１７を主レール１５及び副レール１６に沿って安定させて移動させることができるので、記録媒体Ｐへのインク滴の付着精度を高くすることができる。その結果、画像品位を向上させることができる。
【００５９】
しかも、前記ベアリングｂｒ５がスプリング５８によって副レール１６に向けて付勢され、キャリッジ１７が、副レール１６の上方において副レール１６から離れるように支持されるので、キャリッジ１７の前端１７ｆｅが矢印Ａ方向に付勢される。これにより、キャリッジ１７の姿勢を一定に保持することができ、キャリッジ１７の前端１７ｆｅが上方に移動するのが抑制される。その結果、キャリッジ１７の移動に伴って、また、ファンＦｎ３（図３）の作動に伴って、キャリッジ１７に振動が発生するのを抑制することができる。
【００６０】
そして、キャリッジ１７に振動が発生するのを抑制するためにキャリッジ１７に錘を付加する必要がないので、キャリッジ１７の重量が重くなることがない。したがって、キャリッジモータ２２（図２）を大型化する必要がなく、キャリッジ１７、主レール１５及び副レール１６の強度を高くする必要がないので、インクジェットプリンタ１０を小型化することができ、軽量化することができる。
【００６１】
また、前記ベアリングｂｒ５は、前記副ケース１７Ｂの前後方向における中央部において、保持部５７に対して回転自在に配設され、副ケース１７Ｂを支持するので、副ケース１７、ファンＦｎ３、回路基板Ｂｄ等の重量を副ケース１７Ｂの中央部で受けることができる。したがって、ベアリングｂｒ５によってキャリッジ１７をバランス良く支持することができ、他のベアリングｂｒ１〜ｂｒ４に偏荷重が加わることがない。
【００６２】
そして、ベアリングｂｒ５がスプリング５８の付勢力によって副レール１６に当接させられるので、ベアリングｂｒ５をダンパ機構として機能させることができる。したがって、キャリッジ１７の移動に伴って、また、ファンＦｎ３の作動に伴って、キャリッジ１７に振動が発生するのを一層抑制することができる。
【００６３】
なお、本実施の形態においては、前記ベアリングｂｒ５が、前記副ケース１７Ｂの前後方向における中央部に配設されるようになっているが、副ケース１７Ｂ、ファンＦｎ３、回路基板Ｂｄ等の重心の位置に配設されるのが好ましい。
【００６４】
前記実施の形態においては、インクジェットプリンタ１０について説明したが、本発明を複写機、ファクシミリ、複合機等の画像形成装置に適用することができる。
【００６５】
なお、本発明は前記実施の形態に限定されるものではなく、本発明の趣旨に基づいて種々変形させることが可能であり、それらを本発明の範囲から排除するものではない。
【符号の説明】
【００６６】
１０    インクジェットプリンタ
１５    主レール
１６    副レール
１７    キャリッジ
１７Ａ    主ケース
１７Ｂ    副ケース
５１    垂直組付部
５２    水平組付部
５５、５８    スプリング
Ｂｒ１〜ｂｒ５    ベアリング
Ｈｄ    記録ヘッド
【図１】
2018144402.tif 000003
【図２】
2018144402.tif 000004
【図３】
2018144402.tif 000005